(57)【特許請求の範囲】
【請求項１】
作業用天板を備え、紙媒体に対するハードウエア的処理を行う紙媒体の給排紙路を備えたユニットを該作業用天板に内蔵可能なユニット内蔵用卓であって、前記作業用天板上に露出した前記給排紙路から該作業用天板の上面に平行に紙媒体を供給および排出可能となるように前記ユニットが配置されるユニット内蔵用卓において、
前記作業用天板における該給排紙路の手前に、外周面の尾根部分が該作業用天板の高さと該給排紙路の高さとの高い方以上の高さになるように設けられ、紙媒体の給排方向に回転可能なローラを有することを特徴とするユニット内蔵用卓。
【請求項２】
前記ローラは、高さ位置を調整可能に構成されている請求項１に記載のユニット内蔵用卓。
【請求項３】
前記ローラを上方に付勢するサスペンションを有する請求項１または２に記載のユニット内蔵用卓。
【請求項４】
前記ユニットは、紙媒体に対するハードウエア的処理として、紙媒体に印刷を行う機能、紙媒体を画像スキャンする機能、紙媒体を用いてファクシミリ通信を行う機能、紙媒体をカッティング、パンチ、切り抜き、エンボス加工する機能、ならびに紙媒体を綴じる機能のうちの少なくとも一機能をなすものである請求項１乃至３のいずれか１つに記載のユニット内蔵用卓。
【請求項５】
前記ユニットは、紙媒体に印刷を行うプリンタである請求項１乃至３のいずれか１つに記載のユニット内蔵用卓。
【請求項６】
請求項１乃至５のいずれか１つに記載の前記ユニット内蔵用卓と、前記ユニットとを有することを特徴とするユニット内蔵卓。
【発明の詳細な説明】
【技術分野】
【０００１】
本発明は、金融機関等において使用される、通帳や伝票等の紙媒体に対して印刷等のハードウエア的処理を行うユニットを卓体の作業用天板に内蔵可能なユニット内蔵用卓ならびにそのようなユニットを内蔵したユニット内蔵卓に関する。
【背景技術】
【０００２】
この種のユニット内蔵卓の１つであるプリンタ内蔵卓には、卓体の作業用天板上で通帳や伝票等の印刷媒体のソート、手書き、捺印などを行うユーザによる作業と、作業用天板に内蔵されたプリンタによって印刷媒体に印刷を行う処理とを、滞りなく連続して行えることが望まれている。この要求を満たすべく、プリンタは印刷媒体を作業用天板に対して平行な方向に供給および排出するための給排紙路が卓体の作業用天板上に露出するように内蔵されている。これにより、作業用天板での作業後の印刷媒体をプリンタに供給したり、プリンタによる印刷後の印刷媒体を作業用天板に排出することがスムーズになされる。
【０００３】
特許文献１には、天板に対して平行な方向に印刷媒体を供給および排出するための給排紙路を備えた印字装置が開示されている。
【０００４】
特許文献２には、水平方向に印刷媒体を供給および排出するための給排紙路を備えた印字装置が開示されている。
【０００５】
特許文献３には、斜め方向に印刷媒体を供給および排出するための給排紙路を備えた印字装置が開示されている。
【０００６】
【特許文献１】特開昭６１−２９５９４８号公報
【特許文献２】特開２０００−４３３５７号公報
【特許文献３】特開平１０−５９５７２号公報
【発明の開示】
【発明が解決しようとする課題】
【０００７】
上述のプリンタ内蔵卓等のユニット内蔵卓において、ユニットは、メインテナンスや交換の必要性から、通常、卓に対して着脱自在に内蔵されている。ユニットの仕様変更などに伴ってユニットのサイズや形状が変更になった場合に、作業用天板と給排紙路とに段差が生じることになる。作業用天板と給排紙路とに段差がある場合には、紙媒体の供給および排出の手作業や機械的動作処理の際に紙媒体が段差に引っかかり、その結果、作業性や処理効率の低下を来たす。
【０００８】
このような問題に対し、従来は、作業用天板とユニットとの相対的な高さ位置関係の調整機構を卓またはユニットに設け、新たに卓にユニットを収容する都度、ユーザが調整機構を操作して作業用天板と給排紙路との段差が無くなるか小さくなるように調整していた。
【０００９】
しかし、このような調整機構は、比較的重量があるユニットまたは作業用天板を動かすことが可能な高強度の構造であるがために製品コストの上昇をもたらし、また、ユニット収容の度に調整機構操作の作業をユーザが負担しなければないという問題がある。
【００１０】
それ故、本発明の課題は、製品コスト上昇やユーザの作業負担増大を伴うことなく、優れた作業性や処理効率を発揮できるユニット内蔵用卓を提供することである。
【００１１】
本発明の他の課題は、上記のようなユニット内蔵用卓とユニットとを有するユニット内蔵卓を提供することである。
【課題を解決するための手段】
【００１２】
本発明によれば、作業用天板を備え、紙媒体に対するハードウエア的処理を行う紙媒体の給排紙路を備えたユニットを該作業用天板に内蔵可能なユニット内蔵用卓であって、前記作業用天板上に露出した前記給排紙路から該作業用天板の上面に平行に紙媒体を供給および排出可能となるように前記ユニットが配置されるユニット内蔵用卓において、前記作業用天板における該給排紙路の手前に、外周面の尾根部分が該作業用天板の高さと該給排紙路の高さとの高い方以上の高さになるように設けられ、紙媒体の給排方向に回転可能なローラを有することを特徴とするユニット内蔵用卓が得られる。
【００１３】
前記ローラは、高さ位置を調整可能に構成されていてもよい。前記ローラを上方に付勢するサスペンションを有していてもよい。前記ユニットは、紙媒体に対するハードウエア的処理として、紙媒体に印刷を行う機能、紙媒体を画像スキャンする機能、紙媒体を用いてファクシミリ通信を行う機能、紙媒体をカッティング、パンチ、切り抜き、エンボス加工する機能、ならびに紙媒体を綴じる機能のうちの少なくとも一機能をなすものであってもよい。前記ユニットは、紙媒体に印刷を行うプリンタであってもよい。
【００１４】
本発明によればまた、前記ユニット内蔵用卓と、前記ユニットとを有することを特徴とするユニット内蔵卓が得られる。
【発明の効果】
【００１５】
本発明によるユニット内蔵用卓、ユニット内蔵卓は、製品コスト上昇やユーザの作業負担増大を伴うことなく、優れた作業性や処理効率を発揮できる。
【００１６】
これは、本発明によるユニット内蔵用卓、ユニット内蔵卓が、作業用天板と給排紙路との段差に起因する作業性や処理効率の低下を、高強度であることが必要とされると共にユーザによる調整操作を強いる調整機構を設けることなく解消できるからである。
【発明を実施するための最良の形態】
【００１７】
以下、本発明について、説明する。
【００１８】
本発明によるユニット内蔵用卓は、金融機関等において使用される、通帳や伝票等の紙媒体に対して印刷等のハードウエア的処理を行うユニットを、作業用天板に内蔵可能なものである。
【００１９】
このユニットは、作業用天板に平行な方向に紙媒体を供給および排出するための給排紙路を備えている。給排紙路は、ユニットが作業用天板に内蔵された際に、作業用天板上に露出するようになっている。
【００２０】
本ユニット内蔵用卓は特に、作業用天板における給排紙路の手前に、外周面の尾根部分、即ち、最も高い部分が、作業用天板の高さと給排紙路の高さとの高い方と同じか、それ以上の高さになるように設けられ、紙媒体の給排方向に空転可能なローラを有している。
【００２１】
本ユニット内蔵用卓においては、紙媒体をユニット内に供給すべく、ユーザが給排紙路に紙媒体を挿入する時に、空転可能なローラ上を紙媒体が這い進むため、作業用天板よりも給排紙路が高く位置していたとしても、紙媒体は、その段差に引っかかることなく、円滑に挿入され、ジャム発生も回避できる。一方、ユニット内に供給された紙媒体が所定の処理を施された後に給排紙路から排出される時にも、空転可能なローラ上を紙媒体が這い進むため、給排紙路よりも作業用天板が高く位置していたとしても、紙媒体は、その段差に引っかかることなく、円滑に排出され、ジャム発生も回避できる。
【００２２】
このように、本ユニット内蔵用卓は、作業用天板と給排紙路との段差に起因する作業性や処理効率の低下を、高強度であることが必要とされると共にユーザによる調整操作を強いる調整機構を設けることなく、解消できる。つまり、本発明によるユニット内蔵用卓は、製品コスト上昇やユーザの作業負担増大を伴うことなく、優れた作業性や処理効率を発揮できる。
【００２３】
ローラは、上記高さ範囲内において、高さ位置を調整可能に構成されていてもよい。また、ローラを上方に付勢するサスペンションを有していてもよい。
【００２４】
具体的に、ユニットは、紙媒体に対するハードウエア的処理として、紙媒体に印刷を行う機能、紙媒体を画像スキャンする機能、紙媒体を用いてファクシミリ通信を行う機能、紙媒体をカッティング、パンチ、切り抜き、エンボス加工する機能、ならびに紙媒体を綴じる機能のいずれか単機能、あるいは、いずれか二機能以上を組み合わせた複数機能をなすものであってもよい。
【００２５】
本発明によればまた、以上のようなユニット内蔵用卓に、上記ユニットを着脱可能に予め内蔵してなるユニット内蔵卓をも得られる。
【実施例】
【００２６】
以下、図面を参照して、本発明の実施例によるユニット内蔵用卓ならびにユニット内蔵卓について説明する。
【００２７】
図１は、本発明の実施例によるユニット内蔵卓としてのプリンタ内蔵卓を示している。図２は、図１に示したプリンタ内蔵卓の要部を示している。
【００２８】
図１および図２を参照すると、金融機関等において使用される本プリンタ内蔵卓は、通帳や伝票等の紙媒体に対して印刷処理を行うユニットとしてのプリンタユニット２０を、ユニット内蔵用卓としてのプリンタ内蔵用卓１０の作業用天板１１に着脱自在に、内蔵している。プリンタユニット２０は、作業用天板１１に平行な方向に紙媒体を供給および排出するための給排紙路２１を備えている。給排紙路２１は、プリンタユニット２０が作業用天板１１に内蔵された際に、作業用天板１１上に露出するようになっている。
【００２９】
本プリンタ内蔵卓は特に、作業用天板１１における給排紙路２１の手前に、プリンタユニット２０の給排紙路２１よりも幅の広い溝部１２が形成されている。溝部１２には、外周面の尾根部分、即ち、最も高い部分が給排紙路２１の高さと作業用天板１１の高さとの高い方と同じか、それ以上の高さになるように、給排紙路２１と同等以上の長さの紙媒体の給排方向に空転可能なゴム製のローラ１３が、設けられている。
【００３０】
図３は、プリンタユニット２０に紙媒体Ｐが供紙される時の図１に示したプリンタ内蔵卓の要部を示している。図４は、プリンタユニット２０から紙媒体Ｐが排紙される時の図１に示したプリンタ内蔵卓の要部を示している。
【００３１】
本プリンタ内蔵卓においては、図３に示されるように、紙媒体Ｐをプリンタユニット２０内に供給すべく、ユーザが給排紙路２１に紙媒体Ｐを挿入する時に、空転可能なローラ１３上を紙媒体Ｐが這い進むため、作業用天板１１よりも給排紙路２１が高く位置していたとしても、紙媒体Ｐは、その段差に引っかかることなく、円滑に挿入され、ジャム発生も回避できる。
【００３２】
一方、本プリンタ内蔵卓においては、図４に示されるように、プリンタユニット２０内に供給された紙媒体Ｐが所定の処理を施された後に給排紙路２１から排出される時にも、空転可能なローラ１３上を紙媒体Ｐが這い進むため、給排紙路２１よりも作業用天板１１が高く位置していた（本図では、作業用天板１１よりも給排紙路２１が高く位置している）としても、紙媒体Ｐは、その段差に引っかかることなく、円滑に排出され、ジャム発生も回避できる。
【００３３】
このように、本プリンタ内蔵卓は、作業用天板１１と給排紙路２１との段差に起因する作業性や処理効率の低下を、高強度であることが必要とされると共にユーザによる調整操作を強いる調整機構を設けることなく、解消できる。つまり、プリンタ内蔵用卓１０、本プリンタ内蔵卓は、製品コスト上昇やユーザの作業負担増大を伴うことなく、優れた作業性や処理効率を発揮できる。
【００３４】
ローラ１３は、動力源に接続された駆動ローラの類とは異なり、ローラ表面上を接触通過する紙媒体を滞りなくパッシブに搬送するためのローラであるため、その表面材は、高摩擦のゴム製ではなく、低摩擦の樹脂や金属から成っていてもよい。ローラ１３はまた、外周面の尾根部分、即ち、最も高い部分が給排紙路２１の高さと作業用天板１１の高さとの高い方以上の高さという範囲内において、高さ位置を調整可能に構成されていてもよい。また、ローラ１３を上方に付勢するサスペンション（図示せず）を有していてもよい。この場合には、ローラ１３が、無荷重時には比較的高レベルであり、接触通過する紙媒体による荷重時には適宜なレベルまで沈下するように、サスペンションのバネ定数を設定する。こうすることで、かなり広い範囲の段差寸法に対応可能となる。尚、ローラ１３の高さ位置の上限は、ローラ１３の回転中心軸の高さが、給排紙路２１と作業用天板１１とのうちの低い方の高さを超えない値である。これは、ローラ１３の回転中心軸の高さが当該低い方の高さを超えた場合には、低い方から到来する紙媒体がローラの下側に巻き込まれてしまうからである。
【産業上の利用可能性】
【００３５】
以上説明した実施例に限定されることなく、本発明は、当該特許請求の範囲に記載された技術範囲内であれば、種々の変形が可能であることは云うまでもない。このことは、本発明が適用される用途についても、同様である。例えば、本発明は、プリンタユニットを内蔵可能なプリンタ内蔵用卓ならびにプリンタユニットを内蔵したプリンタ内蔵卓に限らず、紙媒体に対するハードウエア的処理として、紙媒体に印字、コーティング、押印を含む印刷を行う機能、紙媒体を画像スキャンする機能、紙媒体を用いてファクシミリ通信を行う機能、紙媒体をカッティング、パンチ、切り抜き、エンボス加工する機能、ならびに紙媒体を綴じる機能のいずれか単機能、あるいは、いずれか二機能以上を組み合わせた複数機能をなすユニットを内蔵可能なユニット内蔵用卓ならびにこのようなユニットを内蔵したユニット内蔵卓に対しても、適用可能である。また、紙媒体に限らず、プラスチックや金属から成るカードや板状バルク等のハードウエア的媒体（換言すれば、ハードウエア処理を行う対象物）に対してハードウエア的処理を行うユニットを内蔵可能なユニット内蔵用卓ならびにこのようなユニットを内蔵したユニット内蔵卓に対しても、適用可能である。
【図面の簡単な説明】
【００３６】
【図１】本発明の実施例によるユニット内蔵卓としてのプリンタ内蔵卓の斜視図である。
【図２】図１に示したプリンタ内蔵卓の要部を示す部分的な概略断面図である。
【図３】プリンタユニットに紙媒体が供紙される時の図１に示したプリンタ内蔵卓の要部を示す部分的な概略断面図である。
【図４】プリンタユニットから紙媒体が排紙される時の図１に示したプリンタ内蔵卓の要部を示す部分的な概略断面図である。
【符号の説明】
【００３７】
１０  プリンタ内蔵用卓
１１  作業用天板
１２  溝部
１３  ローラ
２０  プリンタユニット
２１  給排紙路
Ｐ  紙媒体
【図１】
0004463225.tif 000002
【図２】
0004463225.tif 000003
【図３】
0004463225.tif 000004
【図４】
0004463225.tif 000005